(57)【特許請求の範囲】
【請求項１】
ネットワークノード（１３）および遠隔通信ネットワーク（１１）を介してマルチメディアコンテンツプロバイダサーバ（１２）およびクライアント宅内機器（１５）に接続可能な仮想顧客宅内機器であって、
マルチメディアコンテンツプロバイダサーバ（１２）から受信される、圧縮された信号と同時に伝送される遠隔ビットマップデータをクライアント宅内機器（１５）に供給するための第１の仮想（１４２）グラフィッククライアントモジュールに接続されたアプリケーション機能モジュール（１４３）を備えることを特徴とする、仮想顧客宅内機器。
【請求項２】
クライアント宅内機器（１５）内に含まれるクライアント宅内機器プロキシユニット（１５４）の動作を監視し、制御するように構成された制御モジュール（１４１）を備える、請求項１に記載の仮想顧客宅内機器。
【請求項３】
アプリケーション機能モジュール（１４３）が、マルチメディアコンテンツプロバイダサーバ（１２）によって提供されるアプリケーションを実行するように構成される、請求項１に記載の仮想顧客宅内機器。
【請求項４】
第１の仮想グラフィッククライアントモジュール（１４２）が、クライアント宅内機器（１５）上に配置された二次リアルグラフィッククライアントモジュール（１５５）によってディスプレイスクリーン（１６）上に表示される画像を直接に変更する仮想フレームバッファである、請求項１に記載の仮想顧客宅内機器。
【請求項５】
第１の仮想グラフィッククライアントモジュール（１４２）が、遠隔フレームバッファプロトコルである遠隔通信プロトコルを使用して、二次リアルグラフィッククライアントモジュール（１５５）と通信する、請求項１または４に記載の仮想顧客宅内機器。
【請求項６】
仮想顧客宅内機器（１４）が、ＯＳＩモデルに準拠する通信プロトコルによってクライアント宅内機器のプロキシユニット（１５４）と通信することができる、請求項１に記載の仮想顧客宅内機器。
【請求項７】
仮想顧客宅内機器（１４）が、アクセスネットワークノードに接続されることが可能な、請求項１から６のいずれかに記載の仮想顧客宅内機器。
【請求項８】
仮想顧客宅内機器（１４）が、サービスブレードを備えるＤＳＬＡＭアクセスノードの中に配置されることが可能な、請求項７に記載の仮想顧客宅内機器。
【請求項９】
ネットワークノード（１３）および遠隔通信ネットワーク（１１）を介して、マルチメディアコンテンツプロバイダサーバ（１２）、および少なくとも第１の仮想（１４２）グラフィッククライアントモジュールを含む仮想顧客宅内機器（１４）に接続可能なクライアント宅内機器（１５）であって、
第１の仮想（１４２）グラフィッククライアントモジュールから受信される遠隔ビットマップデータに応答して、ビットマップデータを供給するように構成された第２のグラフィッククライアントモジュール（１５５）と、プロバイダサーバ（１２）から受信される復号された信号を供給するように構成された復号モジュール（１５６）とを含み、ビットマップデータと復号された信号がディスプレイスクリーン（１６）に伝送されるようにレンダリングされ、混合されることを特徴とする、クライアント宅内機器。
【請求項１０】
ＩＰネットワーク（１１）の通信チャネルを介して仮想顧客宅内機器（１４）と互いに接続されることが可能なプロキシユニット（１５４）を備え、クライアント宅内機器（１５）上の要素の動作が、仮想顧客宅内機器（１４）内に含まれる制御モジュール（１４１）によって監視される、請求項９に記載のクライアント宅内機器。
【請求項１１】
ネットワークノード（１３）および遠隔通信ネットワーク（１１）を介して、マルチメディアコンテンツプロバイダサーバ（１２）および仮想顧客宅内機器（１４）に接続されることが可能なディスプレイスクリーン（１６）であって、
請求項９または１０に記載のクライアント宅内機器（１５）を介して遠隔通信ネットワーク（１１）に接続されていることを特徴とする、ディスプレイスクリーン。
【発明の詳細な説明】
【技術分野】
【０００１】
（発明の目的）
本発明は、一般に、ＩＰＴＶインターネットプロトコルデジタルＴＶサービスなどのマルチメディアコンテンツプロバイダのクライアント側に設置されたデバイスに関する。
【背景技術】
【０００２】
（技術の現状）
テレビブロードキャストやビデオオンデマンドＶｏＤなどのＩＰネットワーク上のマルチメディアサービスは、マルチメディアブロードキャストサーバまたはテレビヘッダから、ＩＰネットワークなどのブロードキャストネットワークを介するマルチメディアコンテンツブロードキャストに関連する画像を表示するディスプレイスクリーンに接続された、ＴＶ復号器インタフェース、セットトップボックスＳＴＢなどの多数のエンドユーザマシン、すなわち、クライアント宅内機器ＣＰＥに配信される。
【０００３】
個別のクライアント加入者が、ローカルＣＰＥから離れた、制御信号を生成して、入力ユニットまたはインタフェースに送信するリモコンユニットなどの外部選択ユニットを使用してマルチメディアコンテンツを選択する。
【０００４】
制御信号が受信されている場合、遠隔インタフェースは、受信された信号に対応する信号を生成して、ＣＰＥ処理ユニットに送信し、すると、ＣＰＥ処理ユニットは、アプリケーションを提供し、同一のＣＰＥ上に配置されているアプリケーション機能デバイスに対して信号を生成して、送信して、ビデオ、オーディオなどのメディアのタイプのためのマルチメディアサーバに、あるいはネットワークに、マルチメディアコンテンツを求める対応する要求を送信する。
【０００５】
クライアントマシン上に配置されたアプリケーションデバイスは、ＨＴＭＬブラウザ、Ｆｌａｓｈプレーヤ、またはＪａｖａ（登録商標）仮想マシンなどの、メディアサービスプロバイダによって規定されたアプリケーションによって要求されるプロトコルを実施する、いくつかのソフトウェアモジュールを含む。
【０００６】
クライアントマシンアプリケーションデバイスは、行われた選択に関連する信号を復号し、出力において、入力／出力ユニットまたはネットワークインタフェースモジュールを介して、ＩＰネットワーク上の通信チャネル上のコンテンツサーバから配信され、ローカルＣＰＥ上で受信されるマルチメディアデータストリーム（オーディオ、ビデオなど）の中に含まれる、選択されたオーディオ／ビデオコンテンツに関連する画像を生成するように、ＣＰＥ上の復号器モジュールに対して復号信号を生成して、送信する。
【０００７】
復号器が、復号された出力信号を生成すると、生成された画像が、個別のクライアントによって視聴されるようにＴＶスクリーンに送信される。
【０００８】
アプリケーションデバイスの様々なアプリケーションユニットは、アプリケーションデバイスプロセス制御を使用して、すなわち、様々なＣＰＥアプリケーションユニットにより、オーバーレイおよび／またはトランスペアレンシによって、復号されたビデオ画像と一緒に構成され、レンダリングされ、混合させられるグラフィックユーザインタフェースＧＵＩを生成する。
【０００９】
メディアサービス事業者から見て、このＣＰＥは、この事業者にとって障害である。クライアントが、事業者によって提供されるサービスに加入するたびに、加入されたサービスのための特定のＣＰＥ復号器インタフェースもしくはＳＴＢ復号器インタフェースが、その新規加入者宅内に設置されなければならない。
【００１０】
要するに、時とともに、事業者は、様々なインタフェースプロバイダによって供給されている可能性があり、したがって、異なる技術に対応する可能性がある、事業者の加入者宅内のそれぞれに設置された多数のＳＴＢ／ＣＰＥインタフェースを有する。
【００１１】
事業者が、事業者の加入者に新たなサービスを提供することを所望する場合、事業者は、それぞれの個別のクライアントのプロファイルの詳細な分析を実行して、各クライアントが有するＳＴＢ／ＣＰＥを特定し、さらにそのＳＴＢ／ＣＰＥが、事業者が提供することを所望する新たなサービスをサポートすることができるか否かを判定しなければならない。
【００１２】
したがって、クライアント加入者の或るグループに影響を与える新たなサービスを提供する決定は、影響を受ける各クライアントに関して個々に実行されなければならない多数の注文の発生につながり、事業者の作業負荷の増大を生じさせる。
【００１３】
例えば、インタフェースのいずれかが新たなサービスをサポートすることができない場合、事業者は、インタフェースソフトウェアに関するリスクを伴う遠隔更新プロセスを開始しなければならず、あるいは、最終的に、インタフェースが設置されており、事業者が事業者の加入者に提供することを所望する新たなサービスで機能することができるＳＴＢ／ＣＰＥインタフェースによって技術が更新されなければならない、または置換されなければならない、対応する加入者宅内に作業員を送らなければならない。
【００１４】
要するに、事業者のすべての加入者が、同一のサービスに加入しているわけではなく、したがって、同一のＣＰＥを設置している理由が全くなく、その結果、これらの加入者は、異なる技術を使用している可能性がある。したがって、事業者が機能またはサービスなどを増大させることを所望する場合、事業者は、事業者の加入者に、事業者が、新たなサービスを提供することができないＣＰＥを更新しなければならないことを申し出る。
【００１５】
したがって、新たなアプリケーションおよびサービスを提供する可能性は、それぞれの個別の加入者宅内に設置されたＣＰＥの技術能力によって、すなわち、古い技術を実行しているマシン上でどのように新たなアプリケーションを実行すべきかによって制限される。
【００１６】
さらに、ＳＴＢ／ＣＰＥインタフェースは、加入者宅内に配置されているので、ＳＴＢ／ＣＰＥインタフェースの回収は、加入者がサービス加入を停止した場合、非常に困難にされ、事業者の損害がもたらされる。
【００１７】
エンドユーザから見て、エンドユーザのテレビジョン上で異なるプロバイダによって提供されるマルチメディアサービスにアクセスするために、各サービスに関して独立のローカルＳＴＢ／ＣＰＥインタフェースが、一般に要求される。
【００１８】
本発明は、請求項１において特許請求されるローカル仮想クライアントデバイスを使用して、前述した欠点のうちの１つまたは複数の欠点の解決策を見出す、またはそのような１つまたは複数の欠点を抑えることを求める。本発明の特徴は、従属請求項において確立される。
【先行技術文献】
【特許文献】
【００１９】
【特許文献１】米国特許出願公開第２００３／００４１１０６号明細書
【発明の概要】
【発明が解決しようとする課題】
【００２０】
本発明の１つの目的は、ビデオ、オーディオ、またはデータなどの、マルチメディアコンテンツプロバイダから加入者によって要求される、ＨＴＭＬブラウザ、Ｆｌａｓｈプレーヤ、または仮想Ｊａｖａ（登録商標）マシンなどのマルチメディアコンテンツプロビジョニングサービスと関係するアプリケーションプロトコルを実行する少なくとも１つのアプリケーション機能モジュールを含む仮想顧客宅内機器、仮想ＣＰＥを提供することである。
【００２１】
本発明の別の目的は、アクセスネットワークノードなどのネットワークノード上に配置されるべき仮想ＣＰＥサーバを供給することである。
【００２２】
本発明の別の目的は、アプリケーション機能の少なくとも１つが仮想ＣＰＥから供給されるので、本発明の対応する技術分野における特定のマシンと比べて、より少ない機能を有する、よりシンな、より小さく、より単純なクライアント宅内機器、シンＣＰＥを供給することである。
【００２３】
本発明の別の目的は、シンＣＰＥが、クライアント宅内機器の製造業者にかかわらず、マルチメディアコンテンツプロバイダから、本発明の対応する技術分野における特定のマシンによって提供されるのと同一のアプリケーションをエンドユーザに提供することができるように、遠隔通信プロトコルを使用して遠隔通信ネットワーク上の通信チャネルを介して仮想ＣＰＥから一次仮想グラフィッククライアントモジュールからのデータフローを受信する二次リアルグラフィッククライアントモジュールを備えるシンＣＰＥを供給することである。
【００２４】
本発明の別の目的は、仮想ＣＰＥアプリケーション機能モジュールが、オーディオ／ビデオ復号ユニット、オーディオ増幅ユニット、フロントパネルユニット、Ａ／Ｖ出力ユニット、およびローカルストレージユニットなどの、シンＣＰＥのすべての要素を遠隔制御することを可能とすることである。
【００２５】
本発明の別の目的は、マルチメディアデータフローが、ビデオサーバまたはテレビヘッダから、データフローが復号されるシンＣＰＥに直接に着信し続ける一方で、仮想ＣＰＥアプリケーション機能モジュールから、対応するアプリケーションの実行のグラフィック結果をシンＣＰＥに継続的に、リアルタイムで送信することである。復号された信号は、仮想ＣＰＥから送信されたグラフィックスとオーバーレイおよび／またはトランスペアレンシによって混合されて、エンドユーザのディスプレイスクリーン上で、ＳＴＢ／ＣＰＥ  ＴＶ復号器インタフェースなどの、本発明の対応する技術分野における特定のマシン上で取得される画像と同一である画像が取得される。
【００２６】
本発明の別の目的は、時とともに仮想ＣＰＥサーバマシン上のアプリケーションモジュールを絶えず更新して、メディアコンテンツプロバイダの加入者に対する付加価値サービスの展開および供給を時間と空間を介して徐々に可能とすることである。
【００２７】
本発明の別の目的は、仮想ＣＰＥサーバ上で異なるマルチメディアサービスプロバイダからのいくつかのアプリケーション機能モジュールをホストして、その結果、リソースが共有され、費用が低減されるようにすることである。
【００２８】
本発明の別の目的は、マルチメディアサービスクライアントアプリケーションモジュールを、これらのモジュールのための基礎として単一のプラットフォーム（仮想ＣＰＥ）を使用して、組み込まれていない標準のオペレーティングシステムおよびソフトウェアモジュールと統合し、さらに複数の開発ツールと統合することをもたらして、異なる開発環境および統合環境を有する複数のローカルＣＰＥ／ＳＴＢマシンプロバイダに依存することを回避することである。
【００２９】
本発明の別の目的は、新たな機能および／またはサービスを供給するのに伴う更新およびメンテナンスがより少ない、または全くない低価格で、小型サイズのシンＣＰＥ機器を供給することである。
【００３０】
本発明の別の目的は、テレビ復号器、高機能のユーザインタフェースを有するＴＶ、またはＤＬＮＡなどの国内ネットワーク標準に適合するマシンなどの既存のローカルマシンを利用することによって、可能な限り、新たなクライアント宅内機器を設置することを回避することである。
【００３１】
本発明の別の目的は、エンドユーザが、単一のＳＴＢ／ＣＰＥプラットフォームを利用して、異なるクライアントアプリケーション技術を有する様々なプロバイダによって提供される複数のマルチメディアサービスにアクセスすることを可能とすることである。
【００３２】
本発明のより詳細な説明が、添付の図に基づいて、以下の説明において与えられる。
【図面の簡単な説明】
【００３３】
【図１】本発明によるＩＰＴＶシステムを示す図である。
【図２】本発明によるクライアント宅内機器ＣＰＥの実施形態を示す図である。
【図３】本発明による仮想ＣＰＥサーバの実施形態を示す図である。
【発明を実施するための形態】
【００３４】
図１に関連して、加入者側に配置されたシンＣＰＥクライアント機器１５または端末装置ユニットが、遠隔通信ネットワーク１１によって供給される一次通信チャネルを介して、アクセスネットワークノードなどのネットワークノード１３上に配置された仮想ＣＰＥサーバ１４に接続されることが可能であり、さらにブロードキャストマルチメディアデータフローを生成し、多数のクライアントにブロードキャストする、マルチメディアコンテンツサーバ、ＩＰＴＶインターネットプロトコルテレビまたはビデオサーバなどのデジタルＴＶ事業者に対応するテレビヘッダなどのマルチメディアコンテンツプロバイダユニット１２に接続されることが可能である。
【００３５】
次に、図２および図３を参照すると、シンＣＰＥ機器１５は、プロバイダの個々のユーザの１名がリモコン上の英数字キーボード上のキーを押すとリモコンユニットから送信される制御信号を受信する一次遠隔インタフェース１５１または入力ユニットを備える。テレビジョンなどのディスプレイスクリーン１６上に、エンドユーザによって視聴されるべきオーディオ信号およびビデオ信号を伝送するための二次インタフェース１５２または出力ユニット、一次通信チャネルを介して通信ネットワークから信号を受信するとともに、通信ネットワークに信号を送信する三次ネットワークインタフェース１５３または入力／出力ユニット、通信チャネルを介して受信され、マルチメディアサービスプロバイダのヘッダ１２またはビデオサーバから生成されて、すべての加入者にブロードキャストされるマルチメディアコンテンツと関係する、ビデオやオーディオなどのマルチメディアデータフロー（データストリーミング）を復号する、ＭＰＥＧ復号器、またはそれに類する機器などの復号ユニット１５６、遠隔フレームバッファプロトコル（ＲＦＢプロトコル）などの遠隔通信プロトコルを使用して三次インタフェース１５３を介して仮想ＣＰＥサーバ１４上の遠隔フレームバッファサーバ１４４からデータフローを受信して、リアルタイムでビットマップに変換し、ただし、これらのビットマップが次に、ビデオ復号器出力信号と一緒にレンダリングされ、混合されてから、二次インタフェース１５２によって表示スクリーン１６上に表示される、二次リアルフレームバッファ型グラフィッククライアントモジュール１５５、およびＩＰネットワーク１１上の二次通信チャネルを介して、前述したシンＣＰＥ機器１５を仮想ＣＰＥサーバ１４内の制御モジュール１４１と互いに接続し、さらに前記仮想ＣＰＥ１４が、本発明の対応する技術分野における特定のマシンと比べて、シンクライアント宅内機器１５の動作を監視し、制御することを可能にして、画像が送信され、個別の加入者によって選択されたアプリケーションがテレビスクリーン１６上で表示され得るようにするユニットプロキシ１５４または中間モジュール。
【００３６】
クライアント宅内機器１５内のプロキシ１５４が、仮想ＣＰＥサーバ１４内に配置された制御モジュール１４１から信号を受信して、シンＣＰＥ１５の動作を制御する。したがって、プロキシ１５４は、ビデオ−オーディオ復号器、ビデオブレンダ、フロントパネル、音量コントロール、およびリモコンなどの、ローカルマシン１５のその他の要素の遠隔制御を担う。
【００３７】
また、プロキシ１５４は、機器のその他の要素の動作と関係し、クライアント宅内機器の専門化によって現在、知られている、シンクライアント宅内機器１５上でローカルでキャプチャされる、仮想ＣＰＥサーバ１４内の制御モジュール１４１に情報データを伝送することも担う。
【００３８】
プロキシ１５４と、仮想ＣＰＥサーバ１４内の制御モジュール１４１との間で使用される通信プロトコルは、事業者のすべての加入者にサービスおよびアプリケーションを提供する、ＯＳＩモデルに準拠した、事業者の独自の通信プロトコルであることが可能である。
【００３９】
要するに、加入者から見て、加入者宅内に設置されたシンＣＰＥマシン１５は、本発明の対応する技術分野に固有である機能などの、クライアント宅内機器の機能を実行する。
【００４０】
しかし、シンＣＰＥ１５のインテリジェンスおよびアプリケーションは、加入者に近接したアクセスネットワーク側に、例えば、ノード１３上に配置された仮想ＣＰＥサーバ１４上に含まれる少なくとも１つのアプリケーション機能モジュール１４３上で主に実行され、仮想ＣＰＥ１４を互いに接続するプロキシ１５４および遠隔フレームバッファサーバ１４４が導入された場合に生じる得る可能な遅延または待ち時間を最小限に抑え、アプリケーションおよびサービスの殆どが実行され、シンクライアント宅内機器１５は、テレビヘッダまたはビデオサーバから受信されたビデオデータおよびオーディオデータを復号するとともに、復号された信号と、仮想ＣＰＥ１４上で実行されるアプリケーションおよびサービスに関連して受信されたグラフィックビットマップ画像を混合する。
【００４１】
以上の説明によれば、仮想ＣＰＥサーバ１４は、例えば、アクセスノード１３上に、デジタル加入者線アクセスマルチプレクサ（ＤＳＬＡＭ）などの、デジタル加入者線サービス（ＤＳＬ）へのアクセスを加入者に提供する電話交換機上に配置される。したがって、プロバイダ事業者に属する仮想ＣＰＥサーバは、プロバイダ事業者の加入者の近くに配置される。
【００４２】
また、仮想ＣＰＥサーバ１４は、ＤＳＬＡＭアクセス機器上に配置された付加価値サービスカード（サーバブレード）上で実施されることも可能である。
【００４３】
仮想ＣＰＥサーバ１４は、関連する各シンＣＰＥデバイスに関して、ＲＡＭメモリの領域内の個々のクライアントディスプレイスクリーン上のピクセルのそれぞれを表す第１の仮想１４２フレームバッファ型グラフィッククライアントモジュールを含み、すなわち、個別のクライアントスクリーン１６上で任意の特定の時点に表示されるべきピクセルのそれぞれすべてが、仮想ＣＰＥサーバ１４上のメモリユニットの一部分の中に格納される。
【００４４】
また、仮想ＣＰＥサーバ１４は、関連する各シンＣＰＥデバイスに関して、その仮想フレームバッファ１４２を管理し、監視する遠隔フレームバッファサーバ要素１４４も含み、フレームバッファ１４２に生じた変化を、遠隔フレームバッファプロトコル（ＲＦＢ）などのフレームバッファ遠隔操作プロトコルを使用して、通信ネットワーク上のチャネルを介して送信する。
【００４５】
また、仮想ＣＰＥサーバ１４は、関連する各シンＣＰＥデバイスに関して、プロキシ１５４の動作を監視し、制御する制御モジュール１４１または処理ユニットも含み、したがって、仮想ＣＰＥサーバ１４は、加入者がチャネルを変更する際に加入者によって押されるリモコン上のキーの操作と関係する信号、フロントパネル上の照明に対応する制御コマンド、音量制御、およびビデオ復号器の制御などの、クライアント宅内機器プロキシ１５４に対する信号の送信、およびプロキシ１５４からの信号の受信を行う。
【００４６】
また、仮想ＣＰＥサーバ１４は、関連する各シンＣＰＥデバイスに関して、プロバイダがプロバイダの加入者に提供するサービスと関係するアプリケーションを実行するためのいくつかのモジュールを備えるアプリケーション機能デバイス１４３（ミドルウェア）も含む。各加入者は、ＨＴＭＬブラウザ、Ａｄｏｂｅ  Ｆｌａｓｈ、ＧＴＫアプリケーション、仮想Ｊａｖａ（登録商標）マシン、通知サービス、ＷＩＮＤＯＷＳ（登録商標）アプリケーション、およびＥＰＧ情報サービスなどの様々な技術を使用する可能性がある、加入者が選好するアプリケーションの利用契約をする。したがって、それぞれの特定のアプリケーションモジュールは、仮想ＣＰＥサーバ１４上の仮想フレームバッファの内容がシンＣＰＥ１５上のリアルフレームバッファ１５５上で反映されるように、出力デバイスとしてフレームバッファグラフィックインタフェース１４２を要求する、加入者によって選択されたクライアントアプリケーションを実行するのに要求されるプロトコルを実施する。したがって、選択されたアプリケーションの出力信号が、ＴＶスクリーン１６において表示されることが可能である。
【００４７】
オプションとして、シンクライアント宅内機器１５は、対応するＨＷ／ＳＷを更新する必要が全くないので、表示スクリーン１６の中に直接に配置され得ることを指摘しておかなければならない。事業者は、ネットワーク側に、すなわち、事業者自らの施設の１つに配置された仮想ＣＰＥサーバ１４上で対応する更新を直接に実行する。
【００４８】
プロバイダは、前述した機能なしに、いくつかのローカルマシンおよび／またはＳＴＢインタフェースを無期限に維持して、現在、設置されているクライアント宅内機器１５を徐々に展開し、さらに／または更新すること、および仮想ＣＰＥサーバ１４を設置することができ、いずれの時点でも、提供されるサービスを中断することは必要ない。
【００４９】
一次フレームバッファ１４２のＲＡＭメモリへのいずれの書き込みも、二次フレームバッファ１５５を介して、テレビスクリーン１６上で見られる画像を直接に変更することを指摘しておかなければならない。したがって、一次フレームバッファ１４２のＲＡＭメモリが変更された場合、遠隔フレームバッファサーバ１４４が、二次グラフィックモジュール１５５において対応するビットマップを生成するのに必要な命令を含む信号を生成し、送信して、対応する画像が、ビデオ復号器出力信号とオーバーレイおよび／またはトランスペアレンシによって混合された後、表示スクリーン１６上で表示されるようにする。
【００５０】
前述したとおり、第１のフレームバッファ１４２と第２のフレームバッファ１５５の間の通信は、付加価値サービスを提供する目的で両方のモジュールの間で送受信される信号の高いレベルの信頼性を保証して、遠隔通信プロトコル（ＲＦＢプロトコルなどの）によって確実に実行される。
【００５１】
さらに、シンクライアント宅内機器１５とマルチメディアコンテンツプロバイダの対応する仮想ＣＰＥサーバ１４の間の相互運用性が保証される。
【００５２】
さらに、本発明は、処理構成要素を含むプログラマブルコンピュータ可読コード、揮発性メモリシステムデバイスおよび不揮発性メモリシステムデバイスを含むコンピュータ可読ストレージシステムに対応するストレージデバイスを備える様々なコンピュータ可読媒体環境において実施され得ることを指摘しておかなければならない。
【００５３】
クライアント宅内機器および仮想ＣＰＥサーバのソフトウェアは、前述した機能を実行するように情報データおよびパッケージに適用される様々な命令およびプログラムを実行する。
【００５４】
前述したハードウェアモジュールによって使用されるプログラムは、好ましくは、異なるプログラミング言語で実施され得る。
【００５５】
各コンピュータプログラムは、ストレージデバイスまたはモジュールがコンピュータによって読み取られた際に、前述した手順を実行するようにコンピュータを構成し、動作させるように、汎用または専用のプログラマブルコンピュータによって読み取られ得るモジュールまたはストレージデバイスの中に、好ましくは、格納される。
【００５６】
また、クライアント宅内機器および仮想ＣＰＥサーバが、前段で明記され、事前定義された方式でコンピュータを動作させるコンピュータプログラムを有して構成されたコンピュータ可読モジュールとして実施され得るということも考慮されることが可能である。
【００５７】
本明細書で与えられる説明は、完全であることも、与えられる説明に本発明を限定することも目的としていない。添付の特許請求の範囲の趣旨および範囲を逸脱することなく、以上の経験に鑑みて、変形および変更が可能である。
【図１】
0005546555.tif 000002
【図２】
0005546555.tif 000003
【図３】
0005546555.tif 000004